(57)【要約】【課題】デザイン性の優れた空気調和機を提供する。【解決手段】前後方向に移動して空気吸込口４を開閉する前面パネル６と、前記空気吸込口４の下方に配された吹出口７を開閉すると共に回動して吹出し風の向きを変える風向羽根９を備え、運転停止時に前記前面パネル６の下端６ａと前記風向羽根９の上端９ａを隣接させて、本体１のデザイン性を向上させる。【選択図】      図１
2005037000.tif 000002
【特許請求の範囲】
【請求項１】
熱交換器に連通する空気吸込口と、ファンと、前後方向に移動して前記空気吸込口を開閉する前面パネルと、前記空気吸込口の下方に配された吹出口と、前記吹出口を開閉すると共に回動して吹出し風の向きを変える風向羽根を備え、本体の運転停止時に前記前面パネルの下端と前記風向羽根の上端が隣接することを特徴とする空気調和機。
【請求項２】
運転開始時に、前面パネルの前方への移動と風向羽根の開方向への回動が同時に開始した後、前記風向羽根の回動動作が所定角度で所定時間停止し、その後、リモコンで設定された角度まで回動することを特徴とする請求項１記載の空気調和機。
【請求項３】
運転開始時に、前面パネルの前方への移動とファンの運転を同時に開始し、所定時間後に風向羽根の回動を開始し、リモコンで設定された角度で停止するようにした請求項１記載の空気調和機。
【請求項４】
前面パネルを斜め上方向に移動させて空気吸込口を開くようにした請求項１記載の空気調和機。
【発明の詳細な説明】
【０００１】
【発明の属する技術分野】
本発明は、空気調和機に関するもので、特に移動可能な前面パネルを備えた空気調和機の室内機に関するものである。
【０００２】
【従来の技術】
従来の空気調和機として、空気調和機本体の前部に設けられ吸込開口部を有するフロントカバーと、前記吸込開口部を覆う吸込パネルと、前記フロントカバーの下方に位置すると共に、冷風、温風を吹出す吹出部と、前記吹出部に設けられ風の吹出し方向を可変する風向板とを備えたものがあった。
【０００３】
そして、リモコンで本体の運転を開始すると、前記吸込パネルが本体の前方に移動し、前記吸込パネルと本体との間から吸込まれた室内の空気が、本体内に内蔵された熱交換器により、冷気や暖気に熱交換され、それが吹出部に送られ、リモコンで設定された風向き方向に合わせられた風向板により、希望する方向に吹出されていた。
【０００４】
そして、リモコンで本体の運転を停止すると、吸込パネルが、本体側に移動し、吸込開口部をほぼ遮蔽するようにしていた（例えば、特許文献１参照）。
【０００５】
【特許文献１】
特開平９−２１０４０２号公報
【０００６】
【発明が解決しようとする課題】
しかしながら、上記従来の構成では、吸込パネルの下端と風向板の上端との間は、フロントパネルの一部が介在するなどして大きく離れていた。このため、デザイン的に優れているとは言えず、一体感に欠け、さらに、視覚的にも空気調和機が大きく見え、部屋の中でも違和感があった。
【０００７】
本発明は、上記従来の課題を解決し、デザイン性が優れた空気調和機を提供するものである。
【０００８】
【課題を解決するための手段】
上記課題を解決するために本発明の空気調和機は、前後方向に移動して空気吸込口を開閉する前面パネルと、前記空気吸込口の下方に配された吹出口を開閉すると共に回動して吹出し風の向きを変える風向羽根を備え、運転停止時に前記前面パネルの下端と前記風向羽根の上端が隣接するようにしたもので、本体前面のデザイン性を向上させるとともに、本体全体の高さが低く感じられ、部屋の中での空気調和機に対する違和感が無くなる。
【０００９】
【発明の実施の形態】
請求項１記載の発明は、熱交換器に連通する空気吸込口と、ファンと、前後方向に移動して前記空気吸込口を開閉する前面パネルと、前記空気吸込口の下方に配された吹出口と、前記吹出口を開閉すると共に回動して吹出し風の向きを変える風向羽根を備え、本体の運転停止時に前記前面パネルの下端と前記風向羽根の上端が隣接するようにしたもので、本体前面のデザイン性を向上させるとともに、本体全体の高さが低く感じられ、部屋の中での空気調和機に対する違和感が無くなる。
【００１０】
請求項２記載の発明は、運転開始時に、前面パネルの前方への移動と風向羽根の開方向への回動が同時に開始した後、前記風向羽根の回動が所定角度で所定時間停止し、その後、リモコンで設定された角度まで回動するようにしたもので、運転停止時に前面パネルの下端と風向羽根の上端が隣接されるものにあっても、運転開始時に、前面パネルと風向羽根が接触する事が無い。
【００１１】
請求項３記載の発明は、運転開始時に、前面パネルの前方への移動とファンの運転を同時に開始し、所定時間後に風向羽根の回動を開始し、リモコンで設定された角度で停止するようにしたもので、風向羽根の回動動作を一時的に停止させることなく、前面パネルと風向羽根との衝突が防止できると共に風向羽根の動きが自然になり、その制御も容易になるものである。
【００１２】
請求項４記載の発明は、前面パネルを斜め上方向に移動させて空気吸込口を開くようにしたもので、風向羽根の回動を一時的に停止したり、回動の開始を遅らせることなく両者の衝突が防止できると共に、空気吸込み用の開口面積が大きくすることができ、室内機の奥行き方向の薄型化が可能となり、デザイン性の向上と合わせてコンパクト化が図れる。
【００１３】
【実施例】
（実施例１）
以下本発明の第１の実施例を、図１乃至図３を参照して説明する。
【００１４】
図１において、１は、室内機本体で、熱交換器２、ファン３を内蔵している。本体１の前面には、空気吸込口４、駆動装置５により前後に移動して、前記空気吸込口４を開閉する前面パネル６が設けられている。前面パネル６が、後方に移動して空気吸込口４を閉じている状態と、前方に移動して空気吸込口４を開いている状態が、それぞれ実線と破線で示されている。
【００１５】
７は、空気吸込口４の下方に設けられ、熱交換器２で熱交換され発生した冷気又は暖気を吹出す吹出口である。吹出口７には、羽根駆動装置９ｂにより、回動軸８を中心に回動して、吹出口７から吹出される風の向きを変更する風向羽根９が設けられている。風向羽根９が吹出口７を全閉した状態から矢印方向に回動して全開した状態が、それぞれ実線と破線で示されている。
【００１６】
また、前面パネル６が後方に移動して空気吸込口４を閉じ、さらに、風向羽根９が吹出口７を全閉している時は、  前面パネル６の下端６ａと風向羽根９の上端９ａが隣接するように、それぞれの位置が設定されている。
【００１７】
上記構成による動作について、図２の空気調和機の運転制御を示すフローチャートを併用しながら、説明する。
【００１８】
図示しないリモコンで、運転開始信号を本体１に送ると、一旦、前面パネル６、風向羽根９が、それぞれ空気吸込口４、吹出口７を閉じるように、リセット動作が行われる。次に、ファン３の運転開始と同時に、前面パネル６が駆動装置５により前方への移動を開始し、風向羽根９が、吹出口７を開くように回動が開始する。
【００１９】
ここで、前面パネル６が最終全開位置（図１で、破線で示されている位置）に達する前に、風向羽根９が全開位置（図１で、破線で示されて入る位置）まで回動すると、図１からも明らかなように、前面パネル６の下端６ａが風向羽根９に衝突し、お互いの動きが規制され、故障の原因となる。そこで本実施例では、図３に示すように風向羽根９の回動を全開位置に至る途中の所定位置で、より具体的には、前面パネル６の移動軌跡外の位置で、所定時間停止させ、所定時間経過したら、風向羽根９をリモコンで設定した位置まで回動させて停止するようにしたものである。
【００２０】
本体１の運転中は、ファン３の回転により、室内空気が、本体１の前面より前方に移動した前面パネル６と本体１の上方、側方、下方の隙間より吸込まれ、熱交換器２により、冷気や暖気に熱交換され、吹出口７に至り、風向羽根９の回動角度で決まる方向に吹出される。
【００２１】
なお、風向羽根９の回動を一時的に停止するという上記動作は、使用者がリモコンで設定した風向羽根９の角度が、一時的に停止する時の所定角度より大きい場合に行われるのであって、リモコンで設定した風向方向に対応する風向羽根９の回動角度が、回動を一時的に停止する位置より小さい場合は、  風向羽根９の回動を所定時間停止する必要は無い事は言うまでも無い。
【００２２】
なお、風向羽根９の回動を一時的に停止しておく所定時間の長さは、前面パネル６の移動時間、風向羽根９の回動に必要な時間等から、決定する事ができる。
【００２３】
以上のように、本実施例によれば、前面パネル６の下端６ａと風向羽根９の上端９ａが、隣接しているので、前面パネル６と風向羽根９のデザインを統一する事ができ、しかも本体１の高さが低く見えるようになるので、部屋の雰囲気になじみやすいものとなる。
【００２４】
また、風向羽根９の回動が一時的に所定の位置で停止している間に、前面パネル６の移動が完了するので、前面パネル６の下端６ａと風向羽根９が衝突する事が無い。
【００２５】
（実施例２）
次に本発明の第２の実施例を、図４を用いて説明する。
【００２６】
図４において、室内機本体１にリモコン（図示せず）より運転開始信号を送信すると、まず、前面パネル６と風向羽根９のリセット動作を開始する。前面パネル６と風向羽根９の双方のリセット動作完了後、前面パネル６の前方への移動とファン３の運転が同時に開始する。
【００２７】
ここで、前面パネル６の移動軌跡と風向羽根９が接触するまでの時間を所定時間Ａとすると、この所定時間Ａ経過後に、風向羽根９の回動を開始し、リモコンで設定された角度で停止するようにする。
【００２８】
上記動作により、風向羽根９が、リモコンで設定された風向き方向に対応する角度まで回動する間に、前面パネル６が上記接触位置より通り過ぎているので双方が接触する事が無い。
【００２９】
（実施例３）
次に、第３の実施例を、図５を用いて説明する。なお、上記実施例と同一部分については、同一符号、名称を用いて、その説明を省略する。
【００３０】
上記実施例では、前面パネル６を本体１の前後方向で、かつ水平方向に移動させるようにしたが、本実施例では、図５に示すように、前面パネル６を前方上方に移動させるようにしたものである。これにより、前面パネル６の前方への移動と、風向羽根９の開方向への回動動作が同時に始まっても、双方がぶつかり合う事がなく、両方の動作制御が容易になるものである。また、前面パネル６を水平方向に前方に移動させる場合に較べ、前方上方に移動させた方が、空気取り入れ面積が大きくなるので、その分、前面パネル６の前方方向への移動距離を少なくする事ができる。
【００３１】
【発明の効果】
以上のように、本発明の空気調和機によれば、本体前面のデザイン性を向上させ、しかも前面パネルと風向羽根のそれぞれの動きが干渉することなくスムーズに運転ができる空気調和機を提供する事ができる。
【図面の簡単な説明】
【図１】本発明の第１の実施例を示す空気調和機の略図
【図２】同空気調和機の動作を示す制御フロチャ−ト
【図３】同空気調和機の前面パネル、風向羽根の動作を示す図
【図４】本発明の第２の実施例を示す空気調和機の動作を示す制御フロチャ−ト
【図５】本発明の第４の実施例を示す空気調和機の略図
【符号の説明】
１    室内機本体
２    熱交換器
３    ファン
４    空気吸込口
５    駆動装置
６    前面パネル
６ａ  下端
７    吹出口
８    回動軸
９    風向羽根
９ａ  上端
【図１】
2005037000.tif 000003
【図２】
2005037000.tif 000004
【図３】
2005037000.tif 000005
【図４】
2005037000.tif 000006
【図５】
2005037000.tif 000007